(57)【要約】      （修正有）【課題】狭額縁化が可能な表示装置を提供する。【解決手段】表示装置は、表示領域ＤＡと、端子領域ＮＡと、第１の辺と、第３の辺とを有する第１基板ＳＵＢ１と、前記第１基板と対向し、第５の辺と、第７の辺とを有する第２基板ＳＵＢ２と、を備える。端子領域ＮＡは、第３の辺と前記第７の辺に挟まれている。第１基板ＳＵＢ１は、第１の辺と前記第３の辺の間に第１ラウンドコーナーＣ１を有する。第２基板ＳＵＢ２は、第５の辺と前記第７の辺の間に第３ラウンドコーナーＣ３を有する。第３ラウンドコーナーＣ３の曲率半径は、第１ラウンドコーナーＣ１の曲率半径より小さい。【選択図】図８
2019002960.tif 000002
【特許請求の範囲】
【請求項１】
表示領域と、前記表示領域の外側に位置する端子領域と、第１方向に延伸する第１の辺と、第１方向と交差する第２方向に延伸する第３の辺とを有する第１基板と、
前記第１基板と対向し、前記第１の辺に沿って延伸する第５の辺と、第２方向に沿って延伸する第７の辺とを有する第２基板と、を備え、
前記端子領域は、前記第３の辺と前記第７の辺に挟まれ、
前記第１基板は、前記第１の辺と前記第３の辺の間に第１ラウンドコーナーを有し、
前記第２基板は、前記第５の辺と前記第７の辺の間に第３ラウンドコーナーを有し、
前記第３ラウンドコーナーの曲率半径は、前記第１ラウンドコーナーの曲率半径より小さい、
表示装置。
【請求項２】
前記第２基板は、前記表示領域の周囲に遮光膜を有し、前記遮光膜の前記表示領域側の縁は前記第１ラウンドコーナーに対向して第５ラウンドコーナーを有する、
請求項１に記載の表示装置。
【請求項３】
前記第１基板は、前記第１の辺に対向して第２の辺と、前記第３の辺に対向して第４の辺と、前記第１の辺と前記第４の辺の間に第２ラウンドコーナーを有し、
前記第２基板は、前記第５の辺と対向して第６の辺と、前記第７の辺に対向して第８の辺と、前記第５の辺と前記第８の辺との間に第４ラウンドコーナーを有し、
前記第２ラウンドコーナーの曲率半径と、前記第４ラウンドコーナーの曲率半径とは、同一であり、
平面視にて、前記第４ラウンドコーナーの外縁は、対応する前記第２ラウンドコーナーの外縁に重なっている、
請求項１に記載の表示装置。
【請求項４】
前記第３ラウンドコーナーの曲率半径は、前記第４ラウンドコーナーの曲率半径より小さい、
請求項３に記載の表示装置。
【請求項５】
前記第２基板は、前記表示領域の周囲に遮光膜を有し、前記遮光膜の前記表示領域側の縁は前記第１ラウンドコーナーに対向して第５ラウンドコーナーを有し、
前記第５ラウンドコーナーの曲率半径は、前記第４ラウンドコーナーの曲率半径より小さい、
請求項３に記載の表示装置。
【請求項６】
表示領域と前記表示領域の外側に位置する端子領域と４辺を有する第１基板と、
前記第１基板と対向し４辺を有する第２基板と、を備え、
前記第１基板は、隣り合う２辺の直線部の間に第１曲線部を有し、
前記第２基板は、隣り合う２辺の直線部の間に第３曲線部を有し、
前記第３曲線部と前記第１曲線部との間に、前記端子領域が位置し、
前記第１曲線部に対して前記第３曲線部が短い、
表示装置。
【請求項７】
前記表示領域の周辺に遮光層が形成され、前記遮光層の表示領域側の縁に前記第３曲線部に対向して第５曲線部を有する、
請求項６に記載の表示装置。
【請求項８】
前記第１基板は、前記第１曲線部と対角線上に対向して第２曲線部を有し、
前記第２基板は、前記第３曲線部と対角線上に対向して第４曲線部を有し、
平面視にて、前記第４曲線部は、前記第２曲線部に重なっている、
請求項６に記載の表示装置。
【請求項９】
前記遮光層の前記第５曲線部と前記第３曲線部との間の幅は、前記端子領域の前記第３曲線部と前記第１曲線部との間の幅より大きい、
請求項７に記載の表示装置。
【請求項１０】
前記第２基板は、前記第３曲線部と対角線上に対向して第４曲線部を有し、
前記第５曲線部と前記第３曲線部との間の幅は、前記第４曲線部と前記表示領域との間の幅より大きい、
請求項７に記載の表示装置。
【請求項１１】
前記第１基板は、前記表示領域に複数の走査線と、複数の信号線と、前記表示領域の外側に位置し前記複数の走査線を駆動する走査線ドライバと、前記表示領域の外側に位置し前記複数の信号線を駆動する信号線ドライバと、をさらに有し、
前記走査線ドライバの一部及び前記信号線ドライバの一部は、前記第５曲線部と前記第３曲線部との間に位置している、
請求項７に記載の表示装置。
【請求項１２】
前記第１基板は、前記表示領域に複数のセンサ電極と、前記複数のセンサ電極を駆動するセンサ電極ドライバと、をさらに有し、
前記センサ電極ドライバの一部は、前記第５曲線部と対向し、前記遮光層で覆われている、
請求項７に記載の表示装置。
【発明の詳細な説明】
【技術分野】
【０００１】
本発明の実施形態は、表示装置に関する。
【背景技術】
【０００２】
液晶表示装置や有機エレクトロルミネッセンス表示装置などの表示装置は、画素が配列される表示領域と、表示領域を囲う周辺領域とを有している、周辺領域には、画素を駆動するための周辺回路が配置される。
【０００３】
近年、表示装置を狭額縁化するための技術が種々検討されている。表示装置の狭額縁化を実現するためには、周辺回路のレイアウトを効率化して、周辺領域の面積を小さくする必要がある。
【先行技術文献】
【特許文献】
【０００４】
【特許文献１】国際公開第２０１４／０１０４６３号
【特許文献２】特開２０１６−１４８７７５号公報
【発明の概要】
【発明が解決しようとする課題】
【０００５】
本実施形態は、狭額縁化が可能な表示装置を提供する。
【課題を解決するための手段】
【０００６】
一実施形態に係る表示装置は、
表示領域と、前記表示領域の外側に位置する端子領域と、第１方向に延伸する第１の辺と、第１方向と交差する第２方向に延伸する第３の辺とを有する第１基板と、
前記第１基板と対向し、前記第１の辺に沿って延伸する第５の辺と、第２方向に沿って延伸する第７の辺とを有する第２基板と、を備え、
前記端子領域は、前記第３の辺と前記第７の辺に挟まれ、
前記第１基板は、前記第１の辺と前記第３の辺の間に第１ラウンドコーナーを有し、
前記第２基板は、前記第５の辺と前記第７の辺の間に第３ラウンドコーナーを有し、
前記第３ラウンドコーナーの曲率半径は、前記第１ラウンドコーナーの曲率半径より小さい。
【０００７】
また、一実施形態に係る表示装置は、
表示領域と前記表示領域の外側に位置する端子領域と４辺を有する第１基板と、
前記第１基板と対向し４辺を有する第２基板と、を備え、
前記第１基板は、隣り合う２辺の直線部の間に第１曲線部を有し、
前記第２基板は、隣り合う２辺の直線部の間に第３曲線部を有し、
前記第３曲線部と前記第１曲線部との間に、前記端子領域が位置し、
前記第１曲線部に対して前記第３曲線部が短い。
【図面の簡単な説明】
【０００８】
【図１】図１は、一実施形態に係る表示装置の構成例を示す平面図である。
【図２】図２は、タッチ検出機能に関わる表示装置の構成例を示す平面図である。
【図３】図３は、図２の線ＩＩＩ−ＩＩＩに沿った表示パネルを示す断面図である。
【図４】図４は、表示パネルの角部の近傍における周辺回路の構成例を示す平面図である。
【図５】図５は、図２に示した共通電極の構成例を示す平面図である。
【図６】図６は、図２の線ＶＩ−ＶＩに沿った表示装置の一部を示す断面図であり、端子領域などを示す図である。
【図７】図７は、複数の走査線と複数のバッファ回路とを示す平面図である。
【図８】図８は、上記表示パネルを示す平面図である。
【発明を実施するための形態】
【０００９】
以下、一実施形態について、図面を参照しながら説明する。なお、開示はあくまで一例に過ぎず、当業者において、発明の主旨を保っての適宜変更について容易に想到し得るものについては、当然に本発明の範囲に含有される。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１０】
本実施形態においては、表示装置の一例として、タッチ検出機能を備えた液晶表示装置を例示する。この液晶表示装置は、例えば、スマートフォン、タブレット端末、携帯電話端末、ノートブックタイプのパーソナルコンピュータ、車載機器、ゲーム機器等の種々の装置に用いることができる。本実施形態にて開示する主要な構成は、有機エレクトロルミネッセンス表示装置等の自発光型の表示装置、電気泳動素子等を有する電子ペーパ型の表示装置、ＭＥＭＳ（Micro Electro Mechanical System）を応用した表示装置、或いはエレクトロクロミズムを応用した表示装置等にも適用可能である。また、本実施形態にて開示する画像表示に関する構成は、タッチ検出機能を備えない表示装置にも適用可能である。
【００１１】
図１は、本実施形態に係る表示装置ＤＳＰの構成例を示す平面図である。図中において、第１方向Ｘ及び第２方向Ｙは互いに交差する方向であり、第３方向Ｚは第１方向Ｘ及び第２方向Ｙと交差する方向である。一例では、第１方向Ｘ、第２方向Ｙ、及び第３方向Ｚは、互いに直交しているが、互いに９０度以外の角度で交差してもよい。本明細書において、第３方向Ｚを示す矢印の先端に向かう方向を上方（あるいは、単に上）と称し、矢印の先端から逆に向かう方向を下方（あるいは、単に下）と称する。
【００１２】
表示装置ＤＳＰは、表示パネルＰＮＬと、配線基板Ｆと、コントローラＣＴとを備えている。表示パネルＰＮＬは、第１基板ＳＵＢ１と、第２基板ＳＵＢ２と、第１基板ＳＵＢ１および第２基板ＳＵＢ２の間に配置された液晶層ＬＣとを備えている（詳しくは図３参照）。さらに、表示パネルＰＮＬは、画像が表示される表示領域ＤＡと、表示領域ＤＡの外側の周辺領域（非表示領域）ＳＡと、を備えている。本実施形態において、周辺領域ＳＡは、表示領域ＤＡを囲む額縁状の形状を有している。
【００１３】
表示パネルＰＮＬは、端部Ｅ１と、表示領域ＤＡに対して端部Ｅ１の反対側に位置する端部Ｅ２と、端部Ｅ３と、表示領域ＤＡに対して端部Ｅ３の反対側に位置する端部Ｅ４と、表示領域ＤＡに対して端部Ｅ２の反対側に位置する端部Ｅ５と、を有している。図１の例においては、端部Ｅ１，Ｅ２及びＥ５は第１方向Ｘに沿って延在し、端部Ｅ３及びＥ４は第２方向Ｙに沿って延在している。各端部Ｅ２，Ｅ３及びＥ４においては、平面視にて、第１基板ＳＵＢ１および第２基板ＳＵＢ２のそれぞれの縁部が揃っている。
【００１４】
端部Ｅ１は、第１基板ＳＵＢ１の縁部に相当する。端部Ｅ５は、第２基板ＳＵＢ２の縁部に相当する。端部Ｅ５は、端部Ｅ１よりも表示領域ＤＡの側に位置している。表示パネルＰＮＬは、端部Ｅ１及びＥ５の間において、第１基板ＳＵＢ１が第２基板ＳＵＢ２と対向しない端子領域ＮＡ（あるいは非対向領域）を有している。端部Ｅ１，Ｅ２，Ｅ３及びＥ４は、四角形状の第１基板ＳＵＢ１の４辺に相当している。端部Ｅ２，Ｅ３，Ｅ４及びＥ５は、四角形状の第２基板ＳＵＢ２の４辺に相当している。
【００１５】
第１基板ＳＵＢ１は、端子領域ＮＡ側に位置した２個の角部（２個の第１角部）Ｃ１と、２個の角部（２個の第２角部）Ｃ２と、を有している。一方の角部Ｃ１は端部Ｅ１及びＥ３の間に位置し、他方の角部Ｃ１は端部Ｅ１及びＥ４の間に位置している。一方の角部Ｃ２は端部Ｅ２及びＥ３の間に位置し、他方の角部Ｃ２は端部Ｅ２及びＥ４の間に位置している。
【００１６】
第２基板ＳＵＢ２は、端子領域ＮＡ側に位置した２個の角部（２個の第３角部）Ｃ３と、２個の角部（２個の第４角部）Ｃ４と、を有している。一方の角部Ｃ３は端部Ｅ５及びＥ３の間に位置し、他方の角部Ｃ３は端部Ｅ５及びＥ４の間に位置している。一方の角部Ｃ４は端部Ｅ２及びＥ３の間に位置し、他方の角部Ｃ４は端部Ｅ２及びＥ４の間に位置している。平面視において、各々の角部Ｃ４は、対応する角部Ｃ２に重なっている。
【００１７】
表示領域ＤＡは、四角形状であり、４辺と、４個の角部（４個の第５角部）Ｃ５と、を有している。図中の一点鎖線は、表示領域ＤＡの外縁に相当し、この外縁は角部Ｃ５を含んでいる。
【００１８】
図１の例においては、各角部Ｃ１〜Ｃ５は、いずれも丸みをおびており、ラウンド状である。そのため、各角部Ｃ１〜Ｃ５をラウンド部及びラウンドコーナーと称することができ得る。本実施形態において、各角部Ｃ１乃至Ｃ５は、円弧状である。但し、各角部Ｃ１乃至Ｃ５の外縁は、円弧状に限らず、曲線に沿って延在していればよい。なお、角部Ｃ１及びＣ２の外縁は第１基板ＳＵＢ１の輪郭の一部を成し、角部Ｃ３及びＣ４の外縁は第２基板ＳＵＢ２の輪郭の一部を成している。
【００１９】
表示パネルＰＮＬは、表示領域ＤＡにおいて、複数の走査線Ｇと、複数の信号線Ｓとを備えている。各走査線Ｇは、それぞれ第１方向Ｘに延在し、第２方向Ｙに間隔を置いて並んでいる。各信号線Ｓは、それぞれ第２方向Ｙに延在し、第１方向Ｘに間隔を置いて並んでいる。
【００２０】
表示領域ＤＡには、第１方向Ｘ及び第２方向Ｙに配列された複数の画素ＰＸが位置している。画素ＰＸは、図中に破線で囲んだ領域に相当している。画素ＰＸは、互いに色の異なる複数の副画素ＳＰを含んでいる。一例として、画素ＰＸは、赤色の副画素ＳＰＲと、緑色の副画素ＳＰＧと、青色の副画素ＳＰＢとを含んでいる。但し、画素ＰＸの構成は、本実施形態の構成に限定されるものではない。例えば、画素ＰＸは、白色の副画素などをさらに含んでいてもよい。本開示においては、副画素を単に画素と呼ぶことがある。  
各副画素ＳＰは、スイッチング素子ＳＷと、画素電極ＰＥと、共通電極ＣＥとを備えている。共通電極ＣＥは、例えば複数の副画素ＳＰにわたって形成され、複数の副画素ＳＰで共用されている。スイッチング素子ＳＷは、走査線Ｇ、信号線Ｓ、及び画素電極ＰＥと電気的に接続されている。
【００２１】
表示パネルＰＮＬは、周辺領域ＳＡにおいて、各走査線Ｇが接続された走査線ドライバＧＤ１，ＧＤ２と、各信号線Ｓが接続された信号線ドライバＳＤと、を備えている。走査線ドライバＧＤ１は表示領域ＤＡと端部Ｅ３との間に配置され、走査線ドライバＧＤ２は表示領域ＤＡと端部Ｅ４との間に配置されている。信号線ドライバＳＤは、表示領域ＤＡと端部Ｅ５との間に配置されている。走査線ドライバＧＤ１，ＧＤ２の一方が省略されてもよい。
【００２２】
図１の例においては、端部Ｅ３側の角部Ｃ５の近傍において、走査線ドライバＧＤ１が上記角部Ｃ５と同様に円弧状に曲がった領域に設けられている。端部Ｅ４側の角部Ｃ５の近傍において、走査線ドライバＧＤ２が上記角部Ｃ５と同様に円弧状に曲がった領域に設けられている。端子領域ＮＡ側の角部Ｃ５の近傍において、信号線ドライバＳＤが上記角部Ｃ５と同様に円弧状に曲がった領域に設けられている。左下の角部Ｃ５の近傍における信号線ドライバＳＤの端部は、走査線ドライバＧＤ１と表示領域ＤＡの間に位置している。右下の角部Ｃ５の近傍における信号線ドライバＳＤの端部は、走査線ドライバＧＤ２と表示領域ＤＡの間に位置している。
【００２３】
走査線ドライバＧＤ１，ＧＤ２は、各走査線Ｇに対して走査信号を供給し、各走査線Ｇを駆動する。信号線ドライバＳＤは、各信号線Ｓに対して映像信号を供給し、各信号線Ｓを駆動する。あるスイッチング素子ＳＷに対応する走査線Ｇに走査信号が供給され、かつこのスイッチング素子ＳＷに接続された信号線Ｓに映像信号が供給されると、この映像信号に応じた電圧が画素電極ＰＥに印加される。一方で、共通電極ＣＥには、直流のコモン信号（コモン電圧）に応じた電圧が印加される。このとき、画素電極ＰＥと共通電極ＣＥとの間に生じる電界の大きさに応じて、液晶層ＬＣの液晶分子の配向状態が変化する。このような動作により、表示領域ＤＡに画像が表示される。
【００２４】
端子領域ＮＡには端部Ｅ１に沿って接続端子群Ｔが設けられている。接続端子群Ｔは、端部Ｅ１に沿って並んだ複数の接続端子を有している。配線基板Ｆは、接続端子群Ｔに接続されている。図１の例においては、配線基板ＦにコントローラＣＴが実装されている。コントローラＣＴは、走査線ドライバＧＤ１，ＧＤ２および信号線ドライバＳＤを制御する表示ドライバＲ１と、タッチ検出用の検出ドライバＲ２とを備えている。表示ドライバＲ１及び検出ドライバＲ２の実装態様は、本実施形態に限定されるものではない。例えば、表示ドライバＲ１及び検出ドライバＲ２は、第１基板ＳＵＢ１に実装されてもよい。また、表示ドライバＲ１及び検出ドライバＲ２は、異なる部材に実装されてもよい。
【００２５】
図２は、タッチ検出機能に関わる構成例を示す表示装置ＤＳＰの平面図である。表示装置ＤＳＰは、複数の検出電極ＲＸを備えている。各検出電極ＲＸは、表示領域ＤＡにおいて第１方向Ｘに延在し、第２方向Ｙに並んでいる。さらに、図２の例においては、複数の共通電極ＣＥが表示領域ＤＡに配置されている。各共通電極ＣＥは、第２方向Ｙに延在し、第１方向Ｘに並んでいる。
【００２６】
各共通電極ＣＥは、画像表示のための電極としての機能に加え、各検出電極ＲＸとともに表示領域ＤＡに近接する物体を検出するためのセンサ電極としての機能を有している。本実施形態では、第１基板ＳＵＢ１に各共通電極ＣＥが配置され、第２基板ＳＵＢ２に各検出電極ＲＸが配置される構成を想定する。但し、共通電極ＣＥとは別体のセンサ電極を設ける構成も表示装置ＤＳＰに適用可能である。また、検出電極ＲＸ及び共通電極ＣＥ（あるいはセンサ電極）の配置態様は種々変形可能である。例えば、複数の検出電極ＲＸが第１方向Ｘに並び、複数の共通電極ＣＥが第２方向Ｙに並んでいてもよい。また、共通電極ＣＥ（あるいはセンサ電極）は、第２基板ＳＵＢ２に設けられてもよい。また、表示パネルＰＮＬの表示面に配置された透明な基材に、検出電極ＲＸおよび共通電極ＣＥと別体のセンサ電極が設けられてもよい。
【００２７】
図２の例において、第１基板ＳＵＢ１は、周辺領域ＳＡにおいて、パッドＰと、パッドＰと接続端子群Ｔの接続端子とを電気的に接続するリード線Ｌ１と、を備えている。各検出電極ＲＸは、接続孔Ｈを通ってパッドＰと電気的に接続されている。パッドＰは、リード線Ｌ１を介して接続端子群Ｔの接続端子と電気的に接続されている。例えば図示したように、端部Ｅ２から数えて、奇数番目の検出電極ＲＸは端部Ｅ３と表示領域ＤＡの間に配置されたパッドＰと接続され、偶数番目の検出電極ＲＸは端部Ｅ４と表示領域ＤＡの間に配置されたパッドＰと接続されている。
【００２８】
図３は、図２におけるＩＩＩ−ＩＩＩ線に沿う表示パネルＰＮＬを示す断面図である。第１基板ＳＵＢ１は、ガラス基板或いは樹脂基板等の第１基材１０と、第１絶縁層１１と、第２絶縁層１２と、第３絶縁層１３と、第１配向膜ＡＬ１と、上述の共通電極ＣＥ及び画素電極ＰＥとを備えている。第１基板ＳＵＢ１は、上述の走査線Ｇ、信号線Ｓ、スイッチング素子ＳＷなども備えるが、図３においては図示を省略している。
【００２９】
第１絶縁層１１は、第１基材１０の上に配置されている。パッドＰ及びリード線Ｌ１は、第１絶縁層１１の上に配置されている。第２絶縁層１２は、パッドＰ及びリード線Ｌ１を覆っている。詳述しないが、パッドＰ及びリード線Ｌ１は、同一層に位置していてもよいし、異なる層に位置していてもよい。また、リード線Ｌ１の一部がパッドＰと同一層に位置していてもよい。  
各共通電極ＣＥは、第２絶縁層１２の上に配置されている。第３絶縁層１３は、各共通電極ＣＥおよび第２絶縁層１２を覆っている。各画素電極ＰＥは、第３絶縁層１３の上に配置され、第３絶縁層１３を介して共通電極ＣＥと対向している。第１配向膜ＡＬ１は、各画素電極ＰＥ及び第３絶縁層１３を覆っている。
【００３０】
第２基板ＳＵＢ２は、ガラス基板或いは樹脂基板等の第２基材２０と、遮光層ＢＭと、カラーフィルタＣＦと、オーバーコート層ＯＣと、第２配向膜ＡＬ２と、を備えている。遮光層ＢＭは、周辺領域ＳＡに位置し、第２基材２０の下に配置されている。カラーフィルタＣＦは、少なくとも表示領域ＤＡに位置し、第２基材２０及び遮光層ＢＭの下に配置されている。なお、第２基板ＳＵＢ２は、上記遮光層ＢＭの他、表示領域ＤＡの副画素間に配置される遮光層をさらに備えていてもよい。カラーフィルタＣＦは、上述の副画素ＳＰＲ，ＳＰＧ，ＳＰＢに対応した色の着色層を含んでいる。オーバーコート層ＯＣは、遮光層ＢＭ及びカラーフィルタＣＦを覆っている。なお、オーバーコート層ＯＣは、必要に応じて利用すればよい。第２配向膜ＡＬ２は、オーバーコート層ＯＣを覆っている。なお、カラーフィルタＣＦは第１基板ＳＵＢ１に配置されてもよい。  
第１基板ＳＵＢ１及び第２基板ＳＵＢ２は、周辺領域ＳＡに位置したシール材ＳＬにて接合されている。液晶層ＬＣは、第１配向膜ＡＬ１、第２配向膜ＡＬ２、及びシール材ＳＬで囲われた空間に形成されている。
【００３１】
検出電極ＲＸは、第２基材２０の上に配置されている。上述の接続孔Ｈは、第２基材２０、遮光層ＢＭ、第２配向膜ＡＬ２、シール材ＳＬ、第１配向膜ＡＬ１、第３絶縁層１３、及び第２絶縁層１２を貫通している。接続孔Ｈは、パッドＰをさらに貫通してもよい。接続孔Ｈは、例えば図示したようにパッドＰに向けて先細るテーパ状であるが、この例に限定されるものではない。接続孔Ｈの内部には、導電性の接続部材Ｃが配置されている。検出電極ＲＸとパッドＰとは、接続部材Ｃを介して電気的に接続されている。
【００３２】
画素電極ＰＥ及び共通電極ＣＥは、例えばＩＴＯ（インジウム・ティン・オキサイド）などの透明導電材料で形成することができる。検出電極ＲＸ、パッドＰ、およびリード線Ｌ１は、ＩＴＯなどの透明導電材料や金属材料で形成することができる。検出電極ＲＸを金属材料で形成する場合には、例えば単層或いは多層構造の金属細線をメッシュ状や波形に配置した電極パターンを用いることができる。  
なお、図３に示した断面構造は一例に過ぎず、その他にも表示パネルＰＮＬには種々の構成を適用し得る。例えば、共通電極ＣＥは、画素電極ＰＥと液晶層ＬＣの間に配置されてもよいし、画素電極ＰＥと同層に配置されてもよいし、第２基板ＳＵＢ２に配置されてもよい。また、接続孔Ｈの位置に第１配向膜ＡＬ１、及び第２配向膜ＡＬ２が配置されていなくてもよい。
【００３３】
以上の構成においては、検出電極ＲＸと共通電極ＣＥとの間に第１容量が形成される。また、導体、又はユーザの指などの導電性を有する物体が表示領域ＤＡに近接すると、この物体と検出電極ＲＸとの間に第２容量が形成される。検出ドライバＲ２は、物体検出のための交流の駆動信号（第２駆動信号）を共通電極ＣＥに供給し、共通電極ＣＥを駆動する。このとき、第１容量を介して検出電極ＲＸから検出ドライバＲ２に検出信号が出力される。この検出信号は、第２容量の有無や第２容量の大きさに応じて変化する。したがって、この検出信号に基づけば、検出ドライバＲ２は、検出電極ＲＸに近接する物体の有無、検出電極ＲＸへの物体の近接度、及び表示領域ＤＡにおける物体の座標位置、を検出することができる。
【００３４】
ここで述べた検出方式は、例えば相互容量方式と呼ばれる。但し、物体の検出方式は相互容量方式に限られず、自己容量方式であってもよい。自己容量方式においては、検出電極ＲＸに駆動信号が供給されるとともに、検出電極ＲＸから検出信号が読み出され、この検出信号に基づいて、検出電極ＲＸに近接する物体の有無、検出電極ＲＸへの物体の近接度、及び表示領域ＤＡにおける物体の座標位置、を検出することができる。また、自己容量方式においては、共通電極ＣＥに駆動信号が供給され、共通電極ＣＥから検出信号が読み出されてもよい。
【００３５】
次に、周辺領域ＳＡに配置される周辺回路（走査線ドライバＧＤ１，ＧＤ２、信号線ドライバＳＤ等）の構成について説明する。  
図４は、表示パネルＰＮＬの左下の角部の近傍における周辺回路の構成例を示す平面図である。走査線ドライバＧＤ１は、複数のシフトレジスタユニット３０と、各シフトレジスタユニット３０に対して１つずつ接続されるとともに少なくとも１つの走査線Ｇが接続された複数のバッファユニット４０とを備えている。各シフトレジスタユニット３０は、各走査線Ｇに走査信号を順次供給するためのタイミングを制御するシフトレジスタを構成する。バッファユニット４０は、少なくとも１つのバッファ回路４１を含む。バッファ回路４１は、シフトレジスタユニット３０の制御の下で、走査線Ｇに対して走査信号（走査電圧）を供給する。
【００３６】
第１基板ＳＵＢ１は、周辺領域ＳＡにおいて、複数のビデオ線Ｖを含むビデオ線群ＶＧを備えている。ビデオ線群ＶＧは、信号線ドライバＳＤに沿って配置されている。ビデオ線群ＶＧを構成する各ビデオ線Ｖは、上述の接続端子群Ｔおよび配線基板Ｆを介して表示ドライバＲ１と電気的に接続されている。図４の例においては、ビデオ線群ＶＧと表示領域ＤＡの間に信号線ドライバＳＤが配置されている。さらに、走査線ドライバＧＤ１と表示領域ＤＡの間に信号線ドライバＳＤが位置する領域においては、走査線ドライバＧＤ１と信号線ドライバＳＤの間にビデオ線群ＶＧが延在している。
【００３７】
信号線ドライバＳＤは、複数のセレクタユニット５０を備えている。各セレクタユニット５０は、少なくとも１個のセレクタ回路５１（セレクタスイッチ）を含む。セレクタ回路５１には、Ｎ本のビデオ線Ｖと、Ｎ本より多いＭ本（Ｍ＞Ｎ）の信号線Ｓとが接続されている。一例では、Ｎ＝２かつＭ＝６である。セレクタ回路５１は、ビデオ線Ｖと接続する信号線Ｓを時分割で切り替える。これにより、表示領域ＤＡに配置された信号線Ｓよりも少ない数のビデオ線Ｖにより、各信号線Ｓに映像信号を供給することができる。
【００３８】
上述の検出電極ＲＸと接続端子群Ｔとを接続するリード線Ｌ１は、第１基板ＳＵＢ１の縁部に沿って配置されている。すなわち、リード線Ｌ１と表示領域ＤＡの間に走査線ドライバＧＤ１、信号線ドライバＳＤ、及びビデオ線群ＶＧが位置している。リード線Ｌ１は、角部Ｃ１の近傍において、角部Ｃ１と同様に円弧状に曲がっている。図４の例においては、リード線Ｌ１と第１基板ＳＵＢ１の外縁との間の距離が全体にわたって一定であるが、部分的に異なってもよい。例えば、角部Ｃ１の近傍において、リード線Ｌ１と第１基板ＳＵＢ１の外縁との間の距離が、端部Ｅ１に向かうに連れて増大してもよい。
【００３９】
走査線ドライバＧＤ１及び信号線ドライバＳＤは、表示領域ＤＡの端子領域ＮＡ側の角部Ｃ５の近傍において、角部Ｃ５に沿って曲がった領域に設けられている。走査線ドライバＧＤ１の一部及び信号線ドライバＳＤの一部は、左下の角部Ｃ５の外縁に沿って設けられ、表示領域ＤＡの端子領域ＮＡ側の辺ＥＤＡ１の延長線ＥＬ１より上記角部（左下の角部）Ｃ５側に位置している。また、走査線ドライバＧＤ１の一部及び信号線ドライバＳＤの一部は、端部Ｅ３に最も近い表示領域ＤＡの辺ＥＤＡ２の延長線ＥＬ２より上記角部（左下の角部）Ｃ５側に位置している。言い換えると、走査線ドライバＧＤ１の一部及び信号線ドライバＳＤの一部は、左下の角部Ｃ５の外縁と、延長線ＥＬ１と、延長線ＥＬ２とで囲まれた領域に位置している。
【００４０】
なお、図４では、左下の角部Ｃ５の近傍の領域に注目したが、右下の角部Ｃ５の近傍の領域における、右下の角部Ｃ５と、走査線ドライバＧＤ２の一部と、信号線ドライバＳＤの一部との関係も同様である。  
但し、端子領域ＮＡ側の第５角部Ｃ５と、走査線ドライバＧＤと、信号線ドライバＳＤとの関係は、本実施形態に限定されるものではなく、種々変形可能である。例えば、端子領域ＮＡ側の２個の第５角部Ｃ５のうち、一方の第５角部Ｃ５と、走査線ドライバＧＤと、信号線ドライバＳＤとの関係が、上述した関係であってもよい。この場合、走査線ドライバＧＤの一部及び信号線ドライバＳＤの一部は、端子領域ＮＡ側の２個の第５角部Ｃ５のうち少なくとも一方の第５角部Ｃ５の外縁に沿って設けられ、延長線ＥＬ１より上記第５角部Ｃ５側に位置し、延長線ＥＬ２より上記第５角部Ｃ５側に位置している。
【００４１】
各セレクタユニット５０に含まれるセレクタ回路５１の数は、信号線ドライバＳＤの端部に近いセレクタユニット５０ほど少なくなる。これにより、各セレクタユニット５０の第１方向Ｘにおける幅は、信号線ドライバＳＤの端部に近いセレクタユニット５０ほど小さくなる。
【００４２】
図４の例において、ビデオ線群ＶＧは、第１方向Ｘに延在した部分と第２方向Ｙに延在した部分とが交互に繰り返す階段状であり、１つの段に対して１つずつセレクタユニット５０が配置されている。但し、１つの段に対して複数のセレクタユニット５０が配置されてもよい。また、ビデオ線群ＶＧの少なくとも一部が、第１方向Ｘ及び第２方向Ｙと交差する方向に延びてもよい。
【００４３】
ここで一例として、各シフトレジスタユニット３０および各バッファユニット４０のうち、シフトレジスタユニット３０Ａ，３０Ｂ，３０Ｃと、これらに接続されたバッファユニット４０Ａ，４０Ｂ，４０Ｃとに注目する。シフトレジスタユニット３０Ａおよびシフトレジスタユニット３０Ｂとは隣り合い、シフトレジスタユニット３０Ｂおよびシフトレジスタユニット３０Ｃは隣り合う。また、バッファユニット４０Ａおよびバッファユニット４０Ｂは隣り合い、バッファユニット４０Ｂおよびバッファユニット４０Ｃは隣り合う。
【００４４】
シフトレジスタユニット３０Ａとシフトレジスタユニット３０Ｂとの第１方向Ｘにおける間隔をｄｘ１１、シフトレジスタユニット３０Ｂとシフトレジスタユニット３０Ｃとの第１方向Ｘにおける間隔をｄｘ１２、シフトレジスタユニット３０Ａとシフトレジスタユニット３０Ｂとの第２方向Ｙにおける間隔をｄｙ１１、シフトレジスタユニット３０Ｂとシフトレジスタユニット３０Ｃとの第２方向Ｙにおける間隔をｄｙ１２と定義する。この場合において、図４の例では、間隔ｄｘ１１と間隔ｄｘ１２とが互いに異なる。具体的には、ｄｘ１１＜ｄｘ１２であり、各シフトレジスタユニット３０Ａ，３０Ｂが第１方向Ｘにずれていないために、間隔ｄｘ１１は零である。さらに、図４の例では、間隔ｄｙ１１と間隔ｄｙ１２とが互いに異なる。具体的には、ｄｙ１１＜ｄｙ１２である。他の例として、各シフトレジスタユニット３０Ａ，３０Ｂ，３０Ｃは、ｄｘ１１＞ｄｘ１２となるように配置されてもよいし、ｄｙ１１≧ｄｙ１２となるように配置されてもよい。
【００４５】
間隔ｄｘ１１，ｄｘ１２と同様に、図４の例では、バッファユニット４０Ａおよびバッファユニット４０Ｂの第１方向Ｘにおける間隔と、バッファユニット４０Ｂおよびバッファユニット４０Ｃの第１方向Ｘにおける間隔とが互いに異なる。また、間隔ｄｙ１１，ｄｙ１２と同様に、バッファユニット４０Ａおよびバッファユニット４０Ｂの第２方向Ｙにおける間隔と、バッファユニット４０Ｂおよびバッファユニット４０Ｃの第２方向Ｙにおける間隔とが互いに異なる。バッファユニット４０Ａ，４０Ｂ，４０Ｃの各々は、左下の角部Ｃ５の外縁までの第１方向Ｘに沿った間隔がほぼ同一となるように、階段状に配置されている。
【００４６】
さらに、一例として、各セレクタユニット５０のうち、セレクタユニット５０Ａ，５０Ｂ，５０Ｃに注目する。セレクタユニット５０Ａおよびセレクタユニット５０Ｂは隣り合い、セレクタユニット５０Ｂおよびセレクタユニット５０Ｃは隣り合う。各セレクタユニット５０Ａ，５０Ｂ，５０Ｃは、第１方向Ｘおよび第２方向Ｙにおいて互いにずれている。セレクタユニット５０Ａはセレクタユニット５０Ｂよりも信号線ドライバＳＤの端部側に位置し、セレクタユニット５０Ｂはセレクタユニット５０Ｃよりも信号線ドライバＳＤの端部側に位置している。第１方向Ｘにおいて、セレクタユニット５０Ａの幅はセレクタユニット５０Ｃの幅よりも小さい。
【００４７】
セレクタユニット５０Ａとセレクタユニット５０Ｂとの第１方向Ｘにおける間隔をｄｘ２１、セレクタユニット５０Ｂとセレクタユニット５０Ｃとの第１方向Ｘにおける間隔をｄｘ２２、セレクタユニット５０Ａとセレクタユニット５０Ｂとの第２方向Ｙにおける間隔をｄｙ２１、セレクタユニット５０Ｂとセレクタユニット５０Ｃとの第２方向Ｙにおける間隔をｄｙ２２と定義する。
【００４８】
この場合において、図４の例では、間隔ｄｘ２１と間隔ｄｘ２２とが互いに異なる。具体的には、ｄｘ２１＜ｄｘ２２である。また、図４の例では、間隔ｄｙ２１と間隔ｄｙ２２とが略一致する。他の例として、各セレクタユニット５０Ａ，５０Ｂ，５０Ｃは、ｄｘ２１≧ｄｘ２２となるように配置されてもよいし、間隔ｄｙ２１と間隔ｄｙ２２とが互いに異なるように配置されてもよい。セレクタユニット５０Ａ，５０Ｂ，５０Ｃの各々は、左下の角部Ｃ５までの第２方向Ｙに沿った間隔がほぼ同一となるように、階段状に配置されている。
【００４９】
このように、各シフトレジスタユニット３０および各バッファユニット４０の各方向Ｘ，Ｙにおける間隔を端子領域ＮＡ側の角部Ｃ５の近傍で調整することにより、上記角部Ｃ５に沿って円弧状に曲がったレイアウトの走査線ドライバＧＤ１を実現することができる。同様に、各セレクタユニット５０の各方向Ｘ，Ｙにおける間隔を端子領域ＮＡ側の角部Ｃ５の近傍で調整することにより、上記角部Ｃ５に沿って円弧状に曲がったレイアウトの信号線ドライバＳＤを実現することができる。
【００５０】
なお、以上の説明において、隣り合う２つのユニットの第１方向Ｘにおける間隔（ｄｘ１１，ｄｘ１２，ｄｘ２１，ｄｘ２２等）は、これらユニットそれぞれの第１方向Ｘにおける中心間の距離に相当する。また、隣り合う２つのユニットの第２方向Ｙにおける間隔（ｄｙ１１，ｄｙ１２，ｄｙ２１，ｄｙ２２等）は、これらユニットそれぞれの第２方向Ｙにおける中心間の距離に相当する。
【００５１】
図１に示した表示領域ＤＡの左上の角部Ｃ５の近傍における走査線ドライバＧＤ１の構成は、左下の角部Ｃ５の近傍における走査線ドライバＧＤ１の構成と同様である。また、表示領域ＤＡの右下の角部Ｃ５の近傍における走査線ドライバＧＤ（ＧＤ２）、信号線ドライバＳＤ、ビデオ線群ＶＧ、及びリード線Ｌ１の構成は、左下の角部Ｃ５の近傍におけるこれらの構成と同様である。さらに、表示領域ＤＡの右上の角部Ｃ５の近傍における走査線ドライバＧＤ２の構成は、左上の角部Ｃ５の近傍における走査線ドライバＧＤ１の構成と同様である。周辺領域ＳＡのうち表示領域ＤＡの４個の角部Ｃ５の近傍における構成は、ここで例示したものに限られず、配置される回路や配線のレイアウトを考慮して適宜に変更することができる。
【００５２】
次に、図２に示した共通電極ＣＥの具体的な構成例について、図５の平面図を参照しながら説明する。ここでは、ラウンド部である左下の角部Ｃ５の近傍における各部材について説明する。共通電極ＣＥ０、ＣＥ１、ＣＥ２、ＣＥ３、…は、この順に第１方向Ｘに沿って並び、それぞれ第２方向Ｙに延在している。図示した例では、共通電極ＣＥ０、ＣＥ３は、共通電極ＣＥ１、ＣＥ２よりも幅広であり、一例では、共通電極ＣＥ０の第１方向Ｘに沿った幅Ｗ０は共通電極ＣＥ１の幅Ｗ１の約２倍である。ここでは、詳述しないが、上記の幅の共通電極を適用することにより、相互容量方式および自己容量方式が切り替え可能なセンサ機能において、双方の方式でのセンサ中心を一致させることができ、また、自己容量方式における各共通電極での容量のアンバランスを改善することができる。
【００５３】
スイッチユニット６０は共通電極ＣＥ０に接続され、スイッチユニット６１は共通電極ＣＥ１に接続され、スイッチユニット６２は共通電極ＣＥ２に接続され、スイッチユニット６３は共通電極ＣＥ３に接続されている。スイッチユニット６０乃至６３を含む複数のスイッチユニットは、複数の共通電極（複数のセンサ電極）ＣＥを駆動するセンサ電極ドライバＳＥＤを構成している。スイッチユニット６０乃至６３の各々は、図中に破線で囲まれている。スイッチユニット６０乃至６３は、それぞれ接続された共通電極に対して、第１駆動信号または第２駆動信号を選択的に供給する。第２駆動信号は、第１駆動信号とは異なる信号である。一例では、第１駆動信号は、表示領域ＤＡに画像を表示する際に必要な直流のコモン信号である。また、第２駆動信号は、物体検出の際に必要な交流の駆動信号である。
【００５４】
共通電極ＣＥ０、ＣＥ１、ＣＥ２は、それぞれ角部Ｃ５に沿った階段状の外縁を備えている。走査線ドライバＧＤ１の一部は、上記の通り、角部Ｃ５に沿い、曲がった領域に設けられ、表示領域ＤＡのうち、辺ＥＤＡ１の近傍に位置する走査線Ｇに走査信号を供給する。いずれのスイッチユニットも走査線ドライバＧＤ１とは異なる領域に配置される。このため、共通電極ＣＥ０及びスイッチユニット６０は、第２方向Ｙに並べることができず、走査線ドライバＧＤ１と共通電極０とが第２方向Ｙに並んでいる。共通電極ＣＥ１及びスイッチユニット６０は第２方向Ｙに並び、同様に、共通電極ＣＥ２及びスイッチユニット６１は第２方向Ｙに並んでいる。また、スイッチユニット６２の一部と共通電極ＣＥ２とは第２方向Ｙに並び、スイッチユニット６２の他の一部と共通電極ＣＥ３とは第２方向Ｙに並んでいる。スイッチユニット６３のほとんどと共通電極ＣＥ３とは第２方向Ｙに並んでいる。
【００５５】
ここで、スイッチユニット６１及び６２に注目する。スイッチユニット６１は、第２方向Ｙに並んだスイッチ回路６１１、６１２、…を備えている。スイッチユニット６２は、第１方向Ｘに並んだスイッチ回路６２１、６２２…を備えている。スイッチユニット６２において、スイッチ回路６２１乃至６２３と共通電極ＣＥ２とは、第２方向Ｙに並んでいる。スイッチ回路６２４及び６２５の回路群と共通電極ＣＥ３とは、第２方向Ｙに並んでいる。各スイッチ回路の構成及びその機能は、実質的に同一である。なお、スイッチ回路の各々は、図中に右上がりの斜線で示している。シール材ＳＬと左下の角部Ｃ５との間の第２方向Ｙに沿った間隔について、スイッチユニット６１が配置される領域を含む間隔Ｗ６１は、スイッチユニット６２が配置される領域を含む間隔Ｗ６２よりも大きい。このため、スイッチユニット６１については、第２方向Ｙに並んだスイッチ回路を配置するのに好適である。
【００５６】
図中に右下がりの斜線で示した部分は、上記のセレクタ回路５１に相当する。セレクタ回路５１の各々には、ビデオ線Ｖが接続されている。セレクタ回路５１及びビデオ線Ｖは、いずれの共通電極とも重ならない。つまり、共通電極ＣＥ０乃至ＣＥ３は、いずれも表示領域ＤＡのみならず、周辺領域ＳＡに延在しているが、周辺領域ＳＡに配置されたセレクタ回路５１と重なる位置よりもシール材ＳＬに近接する側には延在していない。このため、共通電極ＣＥ０乃至ＣＥ３は、セレクタ回路５１よりシール材ＳＬ側に位置するビデオ線Ｖとも重ならず、ビデオ線Ｖとの間の不所望な容量形成を抑制している。
【００５７】
図示した例では、スイッチユニット６０及び６１は、いずれのビデオ線Ｖとも交差しない。スイッチユニット６２は、ビデオ線Ｖと交差する。例えば、共通電極ＣＥ２に隣接するセレクタ回路に注目すると、セレクタ回路５１Ａは、スイッチユニット６１と共通電極ＣＥ２との間に位置している。セレクタ回路５１Ａに接続されるビデオ線ＶＡは、スイッチユニット６１とスイッチユニット６２との間に位置している。セレクタ回路５１Ｂは、スイッチユニット６２と共通電極ＣＥ２との間に位置している。セレクタ回路５１Ｂに接続されるビデオ線ＶＢは、スイッチユニット６２のスイッチ回路６２１とスイッチ回路６２２との間に位置している。
【００５８】
次に、表示パネルＰＮＬの断面構造について説明する。特に、端子領域ＮＡにおける表示パネルＰＮＬの断面構造について説明する。図６は、図２の線ＶＩ−ＶＩに沿った表示装置ＤＳＰの一部を示す断面図であり、端子領域ＮＡなどを示す図である。  
図６に示すように、接続端子群Ｔの接続端子Ｔ１は、第１層ＣＬ１、第２層ＣＬ２、第３層ＣＬ３、及び第４層ＣＬ４を含み、積層構造を有している。また、第１絶縁層１１は、絶縁層１１ａ及び絶縁層１１ｂを有している。スイッチング素子ＳＷの半導体層は、第１基材１０と絶縁層１１ａとの間に位置している。走査線Ｇ及び第１層ＣＬ１は、絶縁層１１ａと絶縁層１１ｂとの間に位置している。このため、走査線Ｇ及び第１層ＣＬ１を、同一材料で同時に形成することができる。
【００５９】
信号線Ｓ及び第２層ＣＬ２は、絶縁層１１ｂと第２絶縁層１２との間に位置している。このため、信号線Ｓ及び第２層ＣＬ２を、同一材料で同時に形成することができる。第２層ＣＬ２は、絶縁層１１ｂに形成されたコンタクトホールを通り第１層ＣＬ１にコンタクトしている。第２層ＣＬ２は、接続端子Ｔ１の一部を形成している。
【００６０】
第２絶縁層１２は、接続端子群Ｔを形成する領域を除いて設けられている。共通電極ＣＥは第２絶縁層１２の上に位置し、第３層ＣＬ３は第２絶縁層１２及び第２層ＣＬ２の上に位置している。第３層ＣＬ３は第２層ＣＬ２にコンタクトしている。共通電極ＣＥ及び第３層ＣＬ３を、同一材料で同時に形成することができる。金属層Ｍ１は共通電極ＣＥの上に位置している。金属層Ｍ２は、第２絶縁膜１２の上に位置し、第２絶縁膜１２に形成されたコンタクトホールを通り第２層ＣＬ２にコンタクトしている。金属層Ｍ１及び金属層Ｍ２を、同一材料で同時に形成することができる。本実施形態では、金属層Ｍ１及び金属層Ｍ２は、一体に形成されている。
【００６１】
第３絶縁層１３は、接続端子群Ｔを形成する領域を除いて設けられている。画素電極ＰＥは第３絶縁層１３の上に位置し、第４層ＣＬ４は第３層ＣＬ３の上に位置し第３層ＣＬ３にコンタクトしている。画素電極ＰＥ及び第４層ＣＬ４を、同一材料で同時に形成することができる。
【００６２】
絶縁層ＩＬは、第２基材２０、及び検出電極ＲＸの上に形成され、検出電極ＲＸを覆っている。  
配線基板Ｆは、導電材料である異方性導電膜８を介して第１基板ＳＵＢ１の端子領域ＮＡに実装されている。配線基板Ｆは、コア基板２００と、コア基板２００の下面側に配置された接続配線１００と、を備えている。  
偏光板を含む第１光学素子ＯＤ１は、第１基材１０の下に位置している。偏光板を含む第２光学素子ＯＤ２は、絶縁層ＩＬの上に位置している。第１光学素子ＯＤ１及び第２光学素子ＯＤ２は、必要に応じて位相差板を含んでいてもよい。
【００６３】
次に、複数の走査線Ｇについて説明する。図７は、複数の走査線Ｇと複数のバッファ回路４１とを示す平面図である。  
図７に示すように、表示領域ＤＡはラウンド状の角部Ｃ５を有しているため、表示領域ＤＡにおいて走査線Ｇの長さにばらつきが生じている。そこで、表示領域ＤＡにおいて走査線Ｇが短い程、周辺領域ＳＡにおいて走査線Ｇを長くしている。言い換えると、表示領域ＤＡにおいて走査線Ｇが短い程、バッファ回路４１から表示領域ＤＡまでの走査線Ｇの長さＬＥを大きくしている。
【００６４】
周辺領域ＳＡのうち表示領域ＤＡの左下の角部Ｃ５の近傍の走査線Ｇにおいて、長さＬＥａ１、長さＬＥａ２、及び長さＬＥａ３は、互いに異なっている。長さＬＥａ１は、バッファ回路４１から辺ＥＤＡ２までの走査線Ｇの長さであり、長さＬＥａ２、及び長さＬＥａ３の何れより短い（ＬＥａ１＜ＬＥａ２、ＬＥａ１＜ＬＥａ３）。長さＬＥａ２、及び長さＬＥａ３は、何れもバッファ回路４１から角部Ｃ５の外縁までの長さである。長さＬＥａ３をもつ走査線Ｇは、長さＬＥａ２をもつ走査線Ｇより辺ＥＤＡ１側に位置している。このため、長さＬＥａ３は、長さＬＥａ２より長い（ＬＥａ３＞ＬＥａ２）。
【００６５】
なお、上述したことは、周辺領域ＳＡのうち表示領域ＤＡの右下の角部Ｃ５の近傍の走査線Ｇ、左上の角部Ｃ５の近傍の走査線Ｇ、及び右上の角部Ｃ５の近傍の走査線Ｇに関しても同様である。例えば、周辺領域ＳＡのうち右下の角部Ｃ５の近傍の走査線Ｇにおいて、ＬＥｂ１＜ＬＥｂ２＜ＬＥｂ３である。  
上記のことから、走査線Ｇの負荷のばらつきを低減することができる。
【００６６】
次に、走査線ドライバＧＤ１，ＧＤ２、信号線ドライバＳＤ、及びセンサ電極ドライバＳＥＤを含む第１基板ＳＵＢ１と、遮光層ＢＭを含む第２基板ＳＵＢ２と、について説明する。図８は、表示パネルＰＮＬを示す平面図である。  
図８に示すように、右下の角部Ｃ３の外縁は、右下の角部Ｃ１の外縁より表示領域ＤＡ側に位置している。同様に、左下の角部Ｃ３の外縁は、左下の角部Ｃ１の外縁より表示領域ＤＡ側に位置している。平面視にて、各々の角部Ｃ４の外縁は、対応する角部Ｃ２の外縁に重なっている。
【００６７】
第１基板ＳＵＢ１の角部Ｃ１及びＣ２と、第２基板ＳＵＢ２の角部Ｃ４とは、それぞれ曲率半径ＲＡ１を有している。言うまでもないが、各々の角部Ｃ２の曲率半径と、各々の角部Ｃ４の曲率半径とは、同一である。第２基板ＳＵＢ２の角部Ｃ３は、それぞれ曲率半径ＲＡ２を有している。表示領域ＤＡの角部Ｃ５は、それぞれ曲率半径ＲＡ３を有している。曲率半径ＲＡ１，ＲＡ２，ＲＡ３は、互いに異なっている。例えば、上述した曲率半径のうち、曲率半径ＲＡ１が最も大きく、曲率半径ＲＡ２が最も小さい（ＲＡ１＞ＲＡ３＞ＲＡ２）。一例を挙げると、ＲＡ１＝５．７ｍｍ、ＲＡ２＝４．７ｍｍ、ＲＡ３＝５．０ｍｍである。但し、各角部Ｃ１乃至Ｃ５の関係はここで例示したものに限定されるものではない。
【００６８】
遮光層ＢＭは、枠状の形状を有し、表示領域ＤＡの外側の周辺領域ＳＡに設けられている。遮光層ＢＭの内側の縁（エッジ）は、表示領域ＤＡと周辺領域ＳＡの境界を形成している。走査線ドライバＧＤ１，ＧＤ２、信号線ドライバＳＤ、及びセンサ電極ドライバＳＥＤは、周辺領域ＳＡに位置し、遮光層ＢＭで覆われている。センサ電極ドライバＳＥＤの一部は、端子領域ＮＡ側の２個の角部Ｃ５の外縁と対向している。なお、センサ電極ドライバＳＥＤの一部は、端子領域ＮＡ側の２個の角部Ｃ５のうち少なくとも一方の角部Ｃ５の外縁と対向していてもよい。
【００６９】
遮光層ＢＭは、表示領域ＤＡの４辺に沿って延在する４個の延在部ＢＭ１，ＢＭ２，ＢＭ３，ＢＭ４を含んでいる。延在部ＢＭ１は、表示領域ＤＡと端部Ｅ５との間に位置し、第１方向Ｘに延在し、幅ＷＩ１を有している。延在部ＢＭ２は、表示領域ＤＡと端部Ｅ２との間に位置し、第１方向Ｘに延在し、幅ＷＩ２を有している。延在部ＢＭ３は、表示領域ＤＡと端部Ｅ３との間に位置し、第２方向Ｙに延在し、幅ＷＩ３を有している。延在部ＢＭ４は、表示領域ＤＡと端部Ｅ４との間に位置し、第２方向Ｙに延在し、幅ＷＩ４を有している。端子領域ＮＡは、幅ＷＩ５を有している。
【００７０】
幅ＷＩ３，ＷＩ４は第１方向Ｘの幅であり、幅ＷＩ１，ＷＩ２，ＷＩ５は第２方向Ｙの幅である。延在部ＢＭ１の幅ＷＩ１は、端子領域ＮＡの幅ＷＩ５より大きい（ＷＩ１＞ＷＩ５）。端子領域ＮＡが延在する方向に交差する方向に延在する２個の延在部ＢＭ３，ＢＭ４の幅ＷＩ３，ＷＩ４は、それぞれ、端子領域ＮＡの幅ＷＩ５より大きい（ＷＩ３＞ＷＩ５、ＷＩ４＞ＷＩ５）。延在部ＢＭ１の幅ＷＩ１は、２個の延在部ＢＭ３，ＢＭ４の幅ＷＩ３，ＷＩ４の何れより大きい（ＷＩ１＞ＷＩ３、ＷＩ１＞ＷＩ４）。一例を挙げると、ＷＩ１＝０．９ｍｍ、ＷＩ２＝ＷＩ３＝ＷＩ４＝０．７ｍｍ、ＷＩ５＝０．６ｍｍである。但し、各幅ＷＩ１乃至ＷＩ５の関係はここで例示したものに限定されるものではない。
【００７１】
次に、第１基板ＳＵＢ１の輪郭及び第２基板ＳＵＢ２の輪郭を得るための製造方法について説明する。  
表示パネルＰＮＬを製造する際、複数の第１基板ＳＵＢ１を含む第１マザー基板と、複数の第２基板ＳＵＢ２を含む第２マザー基板とを用意し、第１基板ＳＵＢ１と第２基板ＳＵＢ２とが一対一で対向するように第１マザー基板と第２マザー基板とを接合する。その後、カッターを利用し、第１マザー基板と第２マザー基板とをそれぞれ機械的にカットする。これにより、第１マザー基板と第２マザー基板との接合体から複数の表示パネルＰＮＬに切断したり、表示パネルＰＮＬの外形を調整したりすることができる。
【００７２】
第１基板ＳＵＢ１の輪郭や、第２基板ＳＵＢ２の輪郭は、カッターを利用した一筆書きにより調整することができる。なぜなら、第１基板ＳＵＢ１及び第２基板ＳＵＢ２において、直線状の端部Ｅ同士が直に繋がるのではなく、直線状の端部Ｅはラウンド状の角部Ｃに直に繋がっているためである。言い換えると、カッターの刃の向きを９０°転換させてカッターの刃を基板に当て直すこと無しに、第１基板ＳＵＢ１の輪郭や、第２基板ＳＵＢ２の輪郭を得ることができるためである。
【００７３】
また、第２基板ＳＵＢ２の輪郭を得るためにカッターでカットする軌道は、第１基板ＳＵＢ１の輪郭を得るためにカッターでカットする軌道と交差することは無い。このため、上記軌道同士が交差する場合と比較して、製造歩留まりの高い表示パネルＰＮＬを得ることができる。  
以上説明したように、本実施形態によれば、狭額縁化が可能な表示装置を得ることができる。
【００７４】
本発明の上記実施形態を説明したが、上記実施形態は、例として提示したものであり、発明の範囲を限定することは意図していない。上記の新規な実施形態は、その他の様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【符号の説明】
【００７５】
ＤＳＰ…表示装置、ＰＮＬ…表示パネル、ＳＵＢ１…第１基板、Ｇ…走査線、
Ｓ…信号線、ＰＥ…画素電極、ＣＥ…共通電極、ＧＤ１，ＧＤ２…走査線ドライバ、
ＳＤ…信号線ドライバ、ＳＥＤ…センサ電極ドライバ、４１…バッファ回路、
ＳＵＢ２…第２基板、ＢＭ…遮光層、ＢＭ１，ＢＭ２，ＢＭ３，ＢＭ４…延在部、
ＲＸ…検出電極、Ｃ１，Ｃ２，Ｃ３，Ｃ４，Ｃ５…角部、ＤＡ…表示領域、
ＳＡ…周辺領域、ＮＡ…端子領域、ＥＤＡ１…辺、ＥＬ１，ＥＬ２…延長線、
ＲＡ１，ＲＡ２，ＲＡ３…曲率半径、ＷＩ１，ＷＩ２，ＷＩ３，ＷＩ４，ＷＩ５…幅。
【図１】
2019002960.tif 000003
【図２】
2019002960.tif 000004
【図３】
2019002960.tif 000005
【図４】
2019002960.tif 000006
【図５】
2019002960.tif 000007
【図６】
2019002960.tif 000008
【図７】
2019002960.tif 000009
【図８】
2019002960.tif 000010